(57)【要約】  簡単な構造で吸湿面積を増大させる。  透湿防水性シートからなる袋体と、袋体の内部に封入される吸湿剤と、を備え、袋体は、複数の平面部を有する立体形状に形成され、複数の平面部のいずれか一つが設置箇所の載置面と接する底面となり、複数の平面部のその他が設置箇所の空間と対向する吸湿面となる。
2019043978.tif 000002
【特許請求の範囲】
【請求項１】
透湿防水性シートからなる袋体と、
前記袋体の内部に封入される吸湿剤と、を備え、
前記袋体は、複数の平面部を有する立体形状に形成され、前記複数の平面部のいずれか一つが設置箇所の載置面と接する底面となり、前記複数の平面部のその他が前記設置箇所の空間と対向する吸湿面となることを特徴とする除湿パック。
【請求項２】
前記袋体が、前記複数の平面部として四つ以上の多角形で囲まれた多面体に形成されることを特徴とする請求項１記載の除湿パック。
【請求項３】
前記袋体が四面体又は六面体に形成されることを特徴とする請求項２記載の除湿パック。
【請求項４】
前記複数の平面部の少なくとも一辺に、前記載置面と対向する延長部が連続形成されることを特徴とする請求項２又は３記載の除湿パック。
【請求項５】
前記吸湿剤が吸湿に伴ってゲル化する材料からなることを特徴とする請求項１、２又は３記載の除湿パック。
【請求項６】
前記袋体の内部は、前記吸湿剤の充填スペースと、前記吸湿剤により吸湿した水分が収容される水収容スペースと、を有し、前記水収容スペースの容積が前記吸湿剤の充填スペースの容積の所定倍数となるように設定されることを特徴とする請求項１、２又は３記載の除湿パック。
【発明の詳細な説明】
【技術分野】
【０００１】
本発明は、押し入れ，タンス，クローゼット，下駄箱，洗面台回り，流しの下，衣料収納容器（衣装ケース）などの湿気が多い場所に設置され、除湿して衣類やふとんなどの乾燥に用いられる除湿パックに関する。
【背景技術】
【０００２】
従来、この種の除湿パックとして、透湿性フィルムよりなる袋体内に吸湿薬剤を封入したシートタイプの除湿剤がある（例えば、特許文献１参照）。
【先行技術文献】
【特許文献】
【０００３】
【特許文献１】特開平０５−０６８８４３号公報
【発明の概要】
【発明が解決しようとする課題】
【０００４】
しかし乍ら、このような従来のシートタイプの除湿剤は、タンスや押し入れなどの設置場所にセットした使用状態で、シート状袋体の底面が全体的に設置場所の載置面に接触するため、シート状袋体における吸湿面積の約半分が塞がれてしまった。
これにより、シート状袋体の全体で吸湿する場合に比べて吸湿機能が半減し、その分だけ吸湿速度も遅くなり、多湿環境を確実に除湿するには時間を要するという問題があった。
【課題を解決するための手段】
【０００５】
このような課題を解決するために本発明に係る除湿パックは、透湿防水性シートからなる袋体と、前記袋体の内部に封入される吸湿剤と、を備え、前記袋体は、複数の平面部を有する立体形状に形成され、前記複数の平面部のいずれか一つが設置箇所の載置面と接する底面となり、前記複数の平面部のその他が前記設置箇所の空間と対向する吸湿面となることを特徴とする。
【図面の簡単な説明】
【０００６】
【図１】本発明の実施形態に係る除湿パックの全体構成を示す説明図であり、（ａ）が正面側から見た斜視図、（ｂ）が底面側から見た斜視図である。
【図２】本発明の実施形態に係る除湿パックの変形例を示す説明図であり、正面側から見た斜視図である。
【発明を実施するための形態】
【０００７】
以下、本発明の実施形態を図面に基づいて詳細に説明する。
本発明の実施形態に係る除湿パックＡは、図１〜図２に示すように、押し入れ，タンス，クローゼット，下駄箱、洗面台回り，流しの下，衣料収納容器（衣装ケース）などの多湿な設置場所の載置面Ｐに置くことで、設置場所の空間Ｓから湿気を取る除湿剤である。
このような湿気取りを行う前は、除湿パックＡが外袋（図示しない）の中に密閉状態で収納され、無駄な吸湿を防いでいる。
詳しく説明すると、本発明の実施形態に係る除湿パックＡは、透湿防水性シートからなる袋体１と、袋体１の内部に封入される吸湿剤２と、を主要な構成要素として備えている。
【０００８】
袋体１は、数ミクロン単位の微小な通気孔（図示しない）を有する透湿防水性シートや透湿フィルムからなり、微小な通気孔によって湿気は通すが液体は通さない構造に構成されている。
透湿防水性シートや透湿フィルムの具体例としては、炭酸カルシウム等を含むポリエチレン、ポリプロピレン等を延伸して製造されたマイクロポーラスフィルム、デュポン社製のタイベック（登録商標）、トクヤマ社製のＮＦシートなどを用いることが好ましい。
さらに袋体１は、複数（二つ以上）の平面部１０を有する立体形状に形成される。
立体形状とは、複数の多角形に囲まれた立方体、直方体、四面体、角柱体や角錐、角錐台などを含む多面体、又は円柱体、若しくはこれらに類似する形状が挙げられる。
この中でも四つ以上の平面部１０で囲まれた多面体が好ましい。この多面体には、二種類以上の正多角形からなる準正多面体や凸な一様多面体のうち正多面体以外の半正多面体も含まれる。詳しくは袋体１を四面体や六面体などの多面体に形成することが好ましい。
さらに袋体１は、その使用状態で複数の平面部１０のうちいずれか一つが設置箇所の載置面Ｐと接する底面１０ａとなり、複数の平面部１０のうちその他が設置箇所の空間Ｓと対向する吸湿面１０ｂとなるように構成されている。
また、複数の平面部１０の少なくとも一辺には、載置面Ｐと対向する延長部１１ａを連続形成することが好ましい。
【０００９】
袋体１の具体例として図１（ａ）（ｂ）に示される場合には、四面体（図示例では正四面体）に形成されている。
詳しくは、透湿防水性シートや透湿フィルムとして第一の筒状シート１１が用いられる。第一の筒状シート１１において所定の間隔が空いた軸方向の両端部を、それぞれ一対の延長部１１ａとなる第一の横シール部で封止することにより、袋体１の内部に第一収容部２１が形成される。延長部（第一の横シール部）１１ａは、第一の筒状シート１１の軸方向と交差する方向で、且つ両者を相対的に直交させてそれぞれ帯状に形成され、軸方向の両端部を重ね合わせて接着する。
このため、袋体１の内部（第一収容部２１）は、後述する吸湿剤２が収容される充填スペースと、吸湿剤２によって吸湿した水分が収容される水収容スペースと、を有している。
このような構成により、袋体１としてテトラパック（登録商標）のような四面体（正四面体）の容器が作成される。
図示例では、第一の筒状シート１１としてシート本体の幅方向両端を縦シール部１１ｂで封止したものが用いられている。
【００１０】
また、その他の変形例として図２に示されるように、袋体１を六面体（図示例では正六四面体）に変更することも可能である。
図示例では、透湿防水性シートや透湿フィルムとして断面矩形（長方形及び正方形を含む角が直角の四辺形）の第二の筒状シート１２が用いられる。第二の筒状シート１２において所定の間隔が空いた軸方向の両端部を、それぞれ一対の第二の横シール部１２ａで封止することにより、袋体１の内部に第二収容部２２が形成される。第二の横シール部１２ａは、第二の筒状シート１２の軸方向と交差する方向へそれぞれ帯状に形成され、軸方向の両端部を重ね合わせて接着する。
このため、袋体１の内部（第二収容部２２）は、後述する吸湿剤２が収容される充填スペースと、吸湿剤２によって吸湿した水分が収容される水収容スペースと、を有している。
このような構成により、一対の第二の横シール部１２ａの両端部に略三角形のフラップ１３が形成され、フラップ１３を袋体１の表面に接着することで、ブリック状（六面体又は正六面体）の容器が作成される。
図示例では、第二の筒状シート１２として縦シールの無いものを用いている。
なお、袋体１の変形例として図示しないが、図１（ａ）（ｂ）に示される第一の筒状シート１１を縦シールの無いものに変更することや、図２に示される第二の筒状シート１２を縦シールの有るものに変更することも可能である。
【００１１】
袋体１に封入される吸湿剤２としては、結晶性固体が湿気となる水蒸気や水分を吸収して溶解する潮解性物質を用いることが好ましい。潮解性物質の具体例としては、塩化カルシウム、塩化マグネシウム、塩化リチウム、臭化リチウム、酢酸カリウム、リン酸ナトリウム、ウルトラリン酸ナトリウムなどが挙げられる。その中でも塩化カルシウムや塩化マグネシウムが吸湿能力及び価格等の点から好ましい。これらの一種または二種以上を混合させて使用することも可能である。
吸湿剤２として塩化カルシウムなどのような潮解性物質を用いた場合には、吸湿に伴って液状化した潮解液が、袋体１から漏れ出して布団や衣類などを汚す可能性がある。
そこで、潮解性物質に増粘剤（ゲル化剤）を配合することにより、潮解液がゲル化され、流動性を減少させて潮解液が離水しないようさせる必要がある。
すなわち、吸湿剤２としては、粉粒状の結晶性固体が吸湿に伴ってゲル化する材料を用いることが好ましい。
増粘剤（ゲル化剤）としては、アルファー化澱粉（α化でんぷん）、ポリアクリル酸ソーダ、ポリビニルアルコール、ポリアクリルアミド、メチルセルロース、グアガムなどが挙げられる。
【００１２】
吸湿剤２の具体例としては、塩化カルシウムが１００重量％に対してアルファー化澱粉が３０〜７０重量％を配合することが好ましい。
塩化カルシウム１００重量％に対するアルファー化澱粉の配合量が３０重量％未満であると、潮解液が離水し始めるため好ましくない。
アルファー化澱粉の配合量は、必要以上に多くなると、その分だけ主となる塩化カルシウムの配合量が配合割合が減ってしまう。塩化カルシウム１００重量％に対するアルファー化澱粉の配合量が７０重量％を越えると、所期の目的とする吸湿機能が得られない。
そこで、袋体１内の限られた容積内で、密度が高いアルファー化澱粉で容積をとらず、多量に配合しなくても離水性能が発現できるように、α化に加えて架橋された澱粉を用いることが好ましい。
さらに、塩化カルシウムなどの潮解性物質は、吸湿に伴う濃度の低下により吸湿速度が徐々に低下する傾向がある。しかし、アルファー化澱粉に塩化カルシウムを吸収させてアルファー化澱粉が膨化することにより、袋体１の透湿防水性シートと塩化カルシウムの距離が接近して、吸湿速度の低下を抑制する効果もある。
【００１３】
一方、袋体１には、その中身となる吸湿剤２の状態を外から可視化するための手段３を備えることが好ましい。
可視化手段３の具体例として図１（ａ）に示される場合には、袋体１の一部に透明又は半透明のシートやフィルムからなる帯状窓３１或いは複数の窓３２を設け、着色したアルファー化澱粉が吸湿に伴い膨化することにより、帯状窓３１，複数の窓３２を透して吸湿状態が目視確認できるように構成している。その結果として、使用者が吸湿剤２の寿命を簡単に分かるので便利である。
また、その他の例として図示しないが、帯状窓３１，複数の窓３２の形状や配置を図示例以外に変更することや、袋体１のほぼ全体を透明又は半透明とすることや、図２に示されるものにも可視化手段３を設けることや、可視化手段３を図示例とは別な構造で構成することや、袋体１を可視化手段３無しで構成するも可能である。
【００１４】
そして、本発明の実施形態に係る除湿パックＡの除湿機能について実験した結果を説明する。
図１（ａ）（ｂ）に示されたテトラ形状（正四面体）の除湿パックＡの他に、シートタイプの除湿剤とタンクタイプの除湿剤を用意し、同じ条件で吸湿試験を行った。シートタイプの除湿剤とは、特開平０５−０６８８４３号公報に記載されるようなものである。タンクタイプの除湿剤とは、タンク状の容器内に吸湿剤を収納した従来周知構造のものである。
吸湿試験では、除湿パックＡとシートタイプの除湿剤とタンクタイプの除湿剤にそれぞれ収容される吸湿剤の総容量を略同じにしている。
さらにＪＩＳ  Ｓ３１０６−１９９４  ７．８に準じ、使用環境を想定した温湿度（気温２５℃×湿度８０％）の環境で、それぞれの吸湿量が目標値（５０ｍＬ）まで到達するまでの経過時間を測定する吸湿試験を行った。
吸湿試験の結果では、テトラ形状の除湿パックＡにおける５０ｍＬ到達速度が、シートタイプの除湿剤における５０ｍＬ到達速度よりも約１．５倍速く、タンクタイプの除湿剤における５０ｍＬ到達速度よりも約２．５〜２．６倍速いことが実証された。
【００１５】
ところで、袋体１の内容積（第一収容部２１，第二収容部２２の容量）に対する吸湿剤２の封入量は、設置場所の温度・湿度や吸湿剤２による吸湿速度に対応して設定される。
その理由は、吸湿速度が早いタイプの吸湿剤２を特に多湿な環境や高温多湿の環境で使用すると、一気に吸湿するため、吸湿剤２により吸湿した水分が短期間で水収容スペースを満杯にして、それ以降は吸湿不能になってしまう。特に多湿な環境とは、洗面台回り，流しの下などの場所が含まれ、高温多湿の環境としては、香港などのように日本国内よりも高温多湿な地域である。
特に多湿な環境や高温多湿の環境で使用する場合には、日本国内の押し入れ，タンス，クローゼット，下駄箱，衣料収納容器（衣装ケース）などで使用する場合に比べて、吸湿剤２の封入量が少なくなるように、水収容スペースと吸湿剤２の充填スペースとの容積比を変える必要がある。
そこで、水収容スペースの容積を吸湿剤２の充填スペースの容積の所定倍数となるように設定することが好ましい。
【００１６】
吸湿剤２の封入量の具体例として、袋体１が図１（ａ）（ｂ）に示されるテトラ形状（正四面体）であり、吸湿剤２が主に潮解性物質（塩化カルシウム）からなる場合について説明する。
日本国において一般家庭の押し入れ，タンスなど比較的狭い空間に除湿を目的として塩化カルシウムなどを使用する家庭用除湿剤の最大吸湿量は、ＪＩＳにより標準温度が２５℃，標準湿度が８０％で設定されている。
この標準的な環境（温度が２５℃，湿度が８０％）であれば、水収容スペースの容積を充填スペースの容積の約２倍に設定する。つまり、水収容スペースと充填スペースとの容積比率を約２：１に設定する。
テトラ形状の袋体１において一辺が７ｃｍで、袋体１の内容積が約４０．４ｃｍ3の時には、水収容スペースの容積を約２６．９３ｃｍ3、充填スペースの容積を約１３．４６ｃｍ3とする。これは潮解性物質（塩化カルシウム）の充填量にして約１４．６ｇに相当する。
これに対し、洗面台回り，流しの下などの特に多湿な場所や、香港などのような高温多湿な地域で使用する時には、水収容スペースの容積を充填スペースの容積の約２．２倍以上、好ましくは約２．５倍以上に設定する。
テトラ形状の袋体１において一辺が７ｃｍで、袋体１の内容積が約４０．４ｃｍ3の時には、水収容スペースの容積を約２７．８ｃｍ3以上、好ましくは約２８．９ｃｍ3以上とし、充填スペースの容積を約１２．６ｃｍ3、好ましくは約１１．５ｃｍ3とする。これは潮解性物質（塩化カルシウム）の充填量にして約１３．０ｇ、好ましくは約１１．７ｃｍ3に相当する。
【００１７】
このような本発明の実施形態に係る除湿パックＡによると、使用状態で設置場所の載置面Ｐに対し、立体形状に形成された袋体１の複数の平面部１０のうちいずれか一つの底面１０ａが置かれて、載置面Ｐに底面１０ａを接触させる。これにより、その他の平面部１０となる吸湿面１０ｂが、設置場所の空間Ｓに向いて吸湿し、設置場所の除湿が行われる。
さらに袋体１が転がったとしても、複数の平面部１０のいずれか一つが底面１０ａとなるだけで、その他の吸湿面１０ｂが載置面Ｐと接触せず吸湿面積が減少しない。
したがって、簡単な構造で吸湿面積を増大させることができる。
その結果、従来のシートタイプの除湿剤に比べ、吸湿速度が速くなって多湿環境を短時間で除湿でき、除湿機能の向上が図れる。また袋体１の転がりで除湿機能が低下しないため、姿勢を考慮する必要が無くなって使用勝手が良い。
さらに、従来のシートタイプ除湿剤に比べ、全体サイズがコンパクト化され、専有スペースが小さくなるため、比較的に狭い設置場所など、どこにでも置くことができる。一つのシートタイプ除湿剤が置かれた設置場所に、多数の除湿パックＡを置いて更なる除湿機能の向上も図れる。
【００１８】
特に、袋体１は、複数の平面部１０として四つ以上の多角形で囲まれた多面体に形成されることが好ましい。
この場合には、多面体の袋体１において四つ以上の多角形うち一つの平面部１０が底面１０ａとなり、その他の三つ以上の平面部１０が吸湿面１０ｂとなる。
したがって、載置面Ｐに対して立体的に配置される吸湿面１０ｂの面数を三つ以上に増やすことができる。
その結果、従来のシートタイプの除湿剤に比べ、吸湿面１０ｂの増加の伴って吸湿面積が増大するため、吸湿速度をより速くできて、更なる除湿機能の向上が図れる。
【００１９】
さらに、袋体１を図１（ａ）（ｂ）に示される四面体（図示例では正四面体）か、又は図２に示される六面体（図示例では正六面体）に形成することが好ましい。
袋体１が四面体の場合には、四つの平面部１０のうち一つが底面１０ａとなり、その他の三つの平面部１０が吸湿面１０ｂとなる。
袋体１が六面体の場合には、六つの平面部１０のうち一つが底面１０ａとなり、その他の五つの平面部１０が吸湿面１０ｂとなる。
したがって、従来周知の製造装置を用いて袋体１を簡単に製作することができる。
その結果、袋体１を簡単に大量生産できて、コストの低減化が図れる。
【００２０】
また、複数の平面部１０の少なくとも一辺に、載置面Ｐと対向する延長部１１ａを連続形成することが好ましい。
この場合には、使用状態で設置場所の載置面Ｐに対し、立体形状に形成された袋体１の複数の平面部１０のうちいずれか一つの底面１０ａを置くことにより、底面１０ａと連続する延長部１１ａも載置面Ｐと接触する。
このため、載置面Ｐに対する袋体１の設置面積が延長部１１ａの分だけ増加すると同時に、載置面Ｐとの摩擦抵抗も増える。
したがって、載置した袋体１の転がりや位置ズレを抑制することができる。
その結果、載置された袋体１の姿勢がより安定し、更なる除湿機能の向上が図れる。
【００２１】
またさらに、吸湿剤２が吸湿に伴ってゲル化する材料からなることが好ましい。
この場合には、袋体１内の吸湿剤２が吸湿することにより、吸湿剤２の形態がゲル状に変化して吸湿剤２から離水しない。
したがって、吸湿剤２の吸湿に伴う液体の漏れ出しを防止することができる。
その結果、漏れ出た液体で汚すことが無いから色々な設置場所に安心して使用できる。  これに加えて、吸湿剤２が吸湿を完了した使用後は、袋体１から吸湿剤２を取り出すことなく、そのまま捨てることができて使用勝手の更なる向上が図れる。
また、吸湿剤２の形体がゲル化していないか否かを確認することで、吸湿剤２の寿命が推測可能となり、誰でも吸湿剤２の交換時期が容易に分かって使用勝手に優れる。
【００２２】
さらにまた、袋体１の内部は、吸湿剤２の充填スペースと、吸湿剤２により吸湿した水分が収容される水収容スペースと、を有し、水収容スペースの容積を吸湿剤２の充填スペースの容積の所定倍数となるように設定することが好ましい。
除湿パックＡの設置場所が洗面台回り，流しの下などの特に多湿な場所や、香港などのような高温多湿な地域で使用される場合であっても、水収容スペースの容積を吸湿剤（塩化カルシウム）２の充填スペースの容積の約２．２倍以上（好ましくは約２．５倍以上）に設定することにより、吸湿剤２によって吸湿した水分が水収容スペースを短期間で満杯にすることがない。
したがって、特に多湿な場所や高温多湿な地域で使用されても吸湿を所定期間に亘って継続することができる。
その結果、使用する温度や湿度に合わせることができて使用勝手に優れる。
【００２３】
なお、前示の実施形態において図示例では、袋体１の立体形状として四面体と六面体の場合のみを示したが、これに限定されず、袋体１の立体形状は、円柱体、角柱体、角錐、角錐台や八面体、十二面体、二十面体などの準正多面体又は半正多面体を含む多面体であってもよい。
【符号の説明】
【００２４】
Ａ  除湿パック                          １  袋体
１０  平面部                            １０ａ  底面
１０ｂ  吸湿面                          １１ａ  延長部
２  吸湿剤                              Ｐ  載置面
Ｓ  空間
【図１】
2019043978.tif 000003
【図２】
2019043978.tif 000004
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
透湿防水性シートからなる袋体と、
前記袋体の内部に封入される吸湿剤と、を備え、
前記袋体は、複数の平面部と、前記複数の平面部の少なくとも一辺に連続形成される延長部と、を有する立体形状に形成され、前記複数の平面部のいずれか一つが設置箇所の載置面と接する底面となり、前記底面を除く前記複数の平面部のその他が前記設置箇所の空間と対向する吸湿面となり、前記底面が前記載置面に置かれて前記延長部が前記載置面と接触した状態で、前記吸湿面が前記空間から湿気を取ることを特徴とする除湿パック。
【請求項２】
前記袋体が、前記複数の平面部として四つ以上の多角形で囲まれた多面体に形成されることを特徴とする請求項１記載の除湿パック。
【請求項３】
前記袋体が四面体又は六面体に形成されることを特徴とする請求項２記載の除湿パック。
【請求項４】
（削除）
【請求項５】
前記吸湿剤が吸湿に伴ってゲル化する材料からなることを特徴とする請求項１、２又は３記載の除湿パック。
【請求項６】
前記袋体の内部は、前記吸湿剤の充填スペースと、前記吸湿剤により吸湿した水分が収容される水収容スペースと、を有し、前記水収容スペースの容積が前記吸湿剤の充填スペースの容積の所定倍数となるように設定されることを特徴とする請求項１、２又は３記載の除湿パック。
【手続補正３】
【補正対象書類名】明細書
【補正対象項目名】０００１
【補正方法】変更
【補正の内容】
【０００１】
技術分野
［０００１］
本発明は、押し入れ，タンス，クローゼット，下駄箱，洗面台回り，流しの下，衣料収納容器（衣装ケース）などの湿気が多い場所に設置され、除湿して衣類やふとんなどの乾燥に用いられる除湿パックに関する。
背景技術
［０００２］
従来、この種の除湿パックとして、透湿性フィルムよりなる袋体内に吸湿薬剤を封入したシートタイプの除湿剤がある（例えば、特許文献１参照）。
先行技術文献
特許文献
［０００３］
特許文献１：特開平０５−０６８８４３号公報
発明の概要
発明が解決しようとする課題
［０００４］
しかし乍ら、このような従来のシートタイプの除湿剤は、タンスや押し入れなどの設置場所にセットした使用状態で、シート状袋体の底面が全体的に設置場所の載置面に接触するため、シート状袋体における吸湿面積の約半分が塞がれてしまった。
これにより、シート状袋体の全体で吸湿する場合に比べて吸湿機能が半減し、その分だけ吸湿速度も遅くなり、多湿環境を確実に除湿するには時間を要するという問題があった。
課題を解決するための手段
［０００５］
このような課題を解決するために本発明に係る除湿パックは、透湿防水性シートからなる袋体と、前記袋体の内部に封入される吸湿剤と、を備え、前記袋体は、複数の平面部と、前記複数の平面部の少なくとも一辺に連続形成される延長部と、を有する立体形状に形成され、前記複数の平面部のいずれか一つが設置箇所の載置面と接する底面となり、前記底面を除く前記複数の平面部のその他が前記設置箇所の空間を対向する吸湿面となり、前記底面が前記載置面に置かれて前記延長部が前記載置面と接触した状態で、前記吸湿面が前記空間から湿気を取ることを特徴とする。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
押し入れ，タンス，クローゼット，下駄箱、洗面台回り，流しの下，衣料収納容器を含む多湿な設置場所に置かれる除湿パックであって、
透湿防水性シートで四面体に形成される袋体と、
前記袋体の内部に封入される吸湿剤と、を備え、
前記袋体は、複数の平面部と、前記複数の平面部の少なくとも一辺に連続形成される延長部と、を有する立体形状に形成され、前記複数の平面部のいずれか一つが前記設置場所の載置面と接する底面となり、前記底面を除く前記複数の平面部のその他が前記設置場所の空間と対向する吸湿面となり、前記底面が前記載置面に置かれて前記延長部が前記載置面と接触した状態で、前記吸湿面が前記空間から湿気を取ることを特徴とする除湿パック。
【請求項２】
前記吸湿剤が吸湿に伴ってゲル化する材料からなることを特徴とする請求項１記載の除湿パック。
【請求項３】
前記袋体の内部は、前記吸湿剤の充填スペースと、前記吸湿剤により吸湿した水分が収容される水収容スペースと、を有し、前記水収容スペースの容積が前記吸湿剤の充填スペースの容積の所定倍数となるように設定されることを特徴とする請求項１又は２記載の除湿パック。
【手続補正２】
【補正対象書類名】明細書
【補正対象項目名】全文
【補正方法】変更
【補正の内容】
【発明の詳細な説明】
【技術分野】
【０００１】
本発明は、押し入れ，タンス，クローゼット，下駄箱，洗面台回り，流しの下，衣料収納容器（衣装ケース）などの湿気が多い場所に設置され、除湿して衣類やふとんなどの乾燥に用いられる除湿パックに関する。
【背景技術】
【０００２】
従来、この種の除湿パックとして、透湿性フィルムよりなる袋体内に吸湿薬剤を封入したシートタイプの除湿剤がある（例えば、特許文献１参照）。
【先行技術文献】
【特許文献】
【０００３】
【特許文献１】特開平０５−０６８８４３号公報
【発明の概要】
【発明が解決しようとする課題】
【０００４】
しかし乍ら、このような従来のシートタイプの除湿剤は、タンスや押し入れなどの設置場所にセットした使用状態で、シート状袋体の底面が全体的に設置場所の載置面に接触するため、シート状袋体における吸湿面積の約半分が塞がれてしまった。
これにより、シート状袋体の全体で吸湿する場合に比べて吸湿機能が半減し、その分だけ吸湿速度も遅くなり、多湿環境を確実に除湿するには時間を要するという問題があった。
【課題を解決するための手段】
【０００５】
このような課題を解決するために本発明に係る除湿パックは、押し入れ，タンス，クローゼット，下駄箱、洗面台回り，流しの下，衣料収納容器を含む多湿な設置場所に置かれる除湿パックであって、透湿防水性シートで四面体に形成される袋体と、前記袋体の内部に封入される吸湿剤と、を備え、前記袋体は、複数の平面部と、前記複数の平面部の少なくとも一辺に連続形成される延長部と、を有する立体形状に形成され、前記複数の平面部のいずれか一つが前記設置場所の載置面と接する底面となり、前記底面を除く前記複数の平面部のその他が前記設置場所の空間と対向する吸湿面となり、前記底面が前記載置面に置かれて前記延長部が前記載置面と接触した状態で、前記吸湿面が前記空間から湿気を取ることを特徴とする。
【図面の簡単な説明】
【０００６】
【図１】本発明の実施形態に係る除湿パックの全体構成を示す説明図であり、（ａ）が正面側から見た斜視図、（ｂ）が底面側から見た斜視図である。
【図２】本発明の実施形態に係る除湿パックの変形例を示す説明図であり、正面側から見た斜視図である。
【発明を実施するための形態】
【０００７】
以下、本発明の実施形態を図面に基づいて詳細に説明する。
本発明の実施形態に係る除湿パックＡは、図１〜図２に示すように、押し入れ，タンス，クローゼット，下駄箱、洗面台回り，流しの下，衣料収納容器（衣装ケース）などの多湿な設置場所の載置面Ｐに置くことで、設置場所の空間Ｓから湿気を取る除湿剤である。
このような湿気取りを行う前は、除湿パックＡが外袋（図示しない）の中に密閉状態で収納され、無駄な吸湿を防いでいる。
詳しく説明すると、本発明の実施形態に係る除湿パックＡは、透湿防水性シートからなる袋体１と、袋体１の内部に封入される吸湿剤２と、を主要な構成要素として備えている。
【０００８】
袋体１は、数ミクロン単位の微小な通気孔（図示しない）を有する透湿防水性シートや透湿フィルムからなり、微小な通気孔によって湿気は通すが液体は通さない構造に構成されている。
透湿防水性シートや透湿フィルムの具体例としては、炭酸カルシウム等を含むポリエチレン、ポリプロピレン等を延伸して製造されたマイクロポーラスフィルム、デュポン社製のタイベック（登録商標）、トクヤマ社製のＮＦシートなどを用いることが好ましい。
さらに袋体１は、複数（二つ以上）の平面部１０を有する立体形状に形成される。
立体形状とは、複数の多角形に囲まれた立方体、直方体、四面体、角柱体や角錐、角錐台などを含む多面体、又は円柱体、若しくはこれらに類似する形状が挙げられる。
この中でも四つ以上の平面部１０で囲まれた多面体が好ましい。この多面体には、二種類以上の正多角形からなる準正多面体や凸な一様多面体のうち正多面体以外の半正多面体も含まれる。詳しくは袋体１を四面体や六面体などの多面体に形成することが好ましい。
さらに袋体１は、その使用状態で複数の平面部１０のうちいずれか一つが設置場所の載置面Ｐと接する底面１０ａとなり、複数の平面部１０のうちその他が設置場所の空間Ｓと対向する吸湿面１０ｂとなるように構成されている。
また、複数の平面部１０の少なくとも一辺には、載置面Ｐと対向する延長部１１ａを連続形成することが好ましい。
【０００９】
袋体１の具体例として図１（ａ）（ｂ）に示される場合には、四面体（図示例では正四面体）に形成されている。
詳しくは、透湿防水性シートや透湿フィルムとして第一の筒状シート１１が用いられる。第一の筒状シート１１において所定の間隔が空いた軸方向の両端部を、それぞれ一対の延長部１１ａとなる第一の横シール部で封止することにより、袋体１の内部に第一収容部２１が形成される。延長部（第一の横シール部）１１ａは、第一の筒状シート１１の軸方向と交差する方向で、且つ両者を相対的に直交させてそれぞれ帯状に形成され、軸方向の両端部を重ね合わせて接着する。
このため、袋体１の内部（第一収容部２１）は、後述する吸湿剤２が収容される充填スペースと、吸湿剤２によって吸湿した水分が収容される水収容スペースと、を有している。
このような構成により、袋体１としてテトラパック（登録商標）のような四面体（正四面体）の容器が作成される。
図示例では、第一の筒状シート１１としてシート本体の幅方向両端を縦シール部１１ｂで封止したものが用いられている。
【００１０】
また、その他の変形例として図２に示されるように、袋体１を六面体（図示例では正六四面体）に変更することも可能である。
図示例では、透湿防水性シートや透湿フィルムとして断面矩形（長方形及び正方形を含む角が直角の四辺形）の第二の筒状シート１２が用いられる。第二の筒状シート１２において所定の間隔が空いた軸方向の両端部を、それぞれ一対の第二の横シール部１２ａで封止することにより、袋体１の内部に第二収容部２２が形成される。第二の横シール部１２ａは、第二の筒状シート１２の軸方向と交差する方向へそれぞれ帯状に形成され、軸方向の両端部を重ね合わせて接着する。
このため、袋体１の内部（第二収容部２２）は、後述する吸湿剤２が収容される充填スペースと、吸湿剤２によって吸湿した水分が収容される水収容スペースと、を有している。
このような構成により、一対の第二の横シール部１２ａの両端部に略三角形のフラップ１３が形成され、フラップ１３を袋体１の表面に接着することで、ブリック状（六面体又は正六面体）の容器が作成される。
図示例では、第二筒状シート１２として縦シールの無いものを用いている。
なお、袋体１の変形例として図示しないが、図１（ａ）（ｂ）に示される第一の筒状シート１１を縦シールの無いものに変更することや、図２に示される第二の筒状シート１２を縦シールの有るものに変更することも可能である。
【００１１】
袋体１に封入される吸湿剤２としては、結晶性固体が湿気となる水蒸気や水分を吸収して溶解する潮解性物質を用いることが好ましい。潮解性物質の具体例としては、塩化カルシウム、塩化マグネシウム、塩化リチウム、臭化リチウム、酢酸カリウム、リン酸ナトリウム、ウルトラリン酸ナトリウムなどが挙げられる。その中でも塩化カルシウムや塩化マグネシウムが吸湿能力及び価格等の点から好ましい。これらの一種または二種以上を混合させて使用することも可能である。
吸湿剤２として塩化カルシウムなどのような潮解性物質を用いた場合には、吸湿に伴って液状化した潮解液が、袋体１から漏れ出して布団や衣類などを汚す可能性がある。
そこで、潮解性物質に増粘剤（ゲル化剤）を配合することにより、潮解液がゲル化され、流動性を減少させて潮解液が離水しないようさせる必要がある。
すなわち、吸湿剤２としては、粉粒状の結晶性固体が吸湿に伴ってゲル化する材料を用いることが好ましい。
増粘剤（ゲル化剤）としては、アルファー化澱粉（α化でんぷん）、ポリアクリル酸ソーダ、ポリビニルアルコール、ポリアクリルアミド、メチルセルロース、グアガムなどが挙げられる。
【００１２】
吸湿剤２の具体例としては、塩化カルシウムが１００重量％に対してアルファー化澱粉が３０〜７０重量％を配合することが好ましい。
塩化カルシウム１００重量％に対するアルファー化澱粉の配合量が３０重量％未満であると、潮解液が離水し始めるため好ましくない。
アルファー化澱粉の配合量は、必要以上に多くなると、その分だけ主となる塩化カルシウムの配合量が配合割合が減ってしまう。塩化カルシウム１００重量％に対するアルファー化澱粉の配合量が７０重量％を越えると、所期の目的とする吸湿機能が得られない。
そこで、袋体１内の限られた容積内で、密度が高いアルファー化澱粉で容積をとらず、多量に配合しなくても離水性能が発現できるように、α化に加えて架橋された澱粉を用いることが好ましい。
さらに、塩化カルシウムなどの潮解性物質は、吸湿に伴う濃度の低下により吸湿速度が徐々に低下する傾向がある。しかし、アルファー化澱粉に塩化カルシウムを吸収させてアルファー化澱粉が膨化することにより、袋体１の透湿防水性シートと塩化カルシウムの距離が接近して、吸湿速度の低下を抑制する効果もある。
【００１３】
一方、袋体１には、その中身となる吸湿剤２の状態を外から可視化するための手段３を備えることが好ましい。
可視化手段３の具体例として図１（ａ）に示される場合には、袋体１の一部に透明又は半透明のシートやフィルムからなる帯状窓３１或いは複数の窓３２を設け、着色したアルファー化澱粉が吸湿に伴い膨化することにより、帯状窓３１，複数の窓３２を透して吸湿状態が目視確認できるように構成している。その結果として、使用者が吸湿剤２の寿命を簡単に分かるので便利である。
また、その他の例として図示しないが、帯状窓３１，複数の窓３２の形状や配置を図示例以外に変更することや、袋体１のほぼ全体を透明又は半透明とすることや、図２に示されるものにも可視化手段３を設けることや、可視化手段３を図示例とは別な構造で構成することや、袋体１を可視化手段３無しで構成するも可能である。
【００１４】
そして、本発明の実施形態に係る除湿パックＡの除湿機能について実験した結果を説明する。
図１（ａ）（ｂ）に示されたテトラ形状（正四面体）の除湿パックＡの他に、シートタイプの除湿剤とタンクタイプの除湿剤を用意し、同じ条件で吸湿試験を行った。シートタイプの除湿剤とは、特開平０５−０６８８４３号公報に記載されるようなものである。タンクタイプの除湿剤とは、タンク状の容器内に吸湿剤を収納した従来周知構造のものである。
吸湿試験では、除湿パックＡとシートタイプの除湿剤とタンクタイプの除湿剤にそれぞれ収容される吸湿剤の総容量を略同じにしている。
さらにＪＩＳ  Ｓ３１０６−１９９４  ７．８に準じ、使用環境を想定した温湿度（気温２５℃×湿度８０％）の環境で、それぞれの吸湿量が目標値（５０ｍＬ）まで到達するまでの経過時間を測定する吸湿試験を行った。
吸湿試験の結果では、テトラ形状の除湿パックＡにおける５０ｍＬ到達速度が、シートタイプの除湿剤における５０ｍＬ到達速度よりも約１．５倍速く、タンクタイプの除湿剤における５０ｍＬ到達速度よりも約２．５〜２．６倍速いことが実証された。
【００１５】
ところで、袋体１の内容積（第一収容部２１，第二収容部２２の容量）に対する吸湿剤２の封入量は、設置場所の温度・湿度や吸湿剤２による吸湿速度に対応して設定される。
その理由は、吸湿速度が早いタイプの吸湿剤２を特に多湿な環境や高温多湿の環境で使用すると、一気に吸湿するため、吸湿剤２により吸湿した水分が短期間で水収容スペースを満杯にして、それ以降は吸湿不能になってしまう。特に多湿な環境とは、洗面台回り，流しの下などの場所が含まれ、高温多湿の環境としては、香港などのように日本国内よりも高温多湿な地域である。
特に多湿な環境や高温多湿の環境で使用する場合には、日本国内の押し入れ，タンス，クローゼット，下駄箱，衣料収納容器（衣装ケース）などで使用する場合に比べて、吸湿剤２の封入量が少なくなるように、水収容スペースと吸湿剤２の充填スペースとの容積比を変える必要がある。
そこで、水収容スペースの容積を吸湿剤２の充填スペースの容積の所定倍数となるように設定することが好ましい。
【００１６】
吸湿剤２の封入量の具体例として、袋体１が図１（ａ）（ｂ）に示されるテトラ形状（正四面体）であり、吸湿剤２が主に潮解性物質（塩化カルシウム）からなる場合について説明する。
日本国において一般家庭の押し入れ，タンスなど比較的狭い空間に除湿を目的として塩化カルシウムなどを使用する家庭用除湿剤の最大吸湿量は、ＪＩＳにより標準温度が２５℃，標準湿度が８０％で設定されている。
この標準的な環境（温度が２５℃，湿度が８０％）であれば、水収容スペースの容積を充填スペースの容積の約２倍に設定する。つまり、水収容スペースと充填スペースとの容積比率を約２：１に設定する。
テトラ形状の袋体１において一辺が７ｃｍで、袋体１の内容積が約４０．４ｃｍ３の時には、水収容スペースの容積を約２６．９３ｃｍ３、充填スペースの容積を約１３．４６ｃｍ３とする。これは潮解性物質（塩化カルシウム）の充填量にして約１４．６ｇに相当する。
これに対し、洗面台回り，流しの下などの特に多湿な場所や、香港などのような高温多湿な地域で使用する時には、水収容スペースの容積を充填スペースの容積の約２．２倍以上、好ましくは約２．５倍以上に設定する。
テトラ形状の袋体１において一辺が７ｃｍで、袋体１の内容積が約４０．４ｃｍ３の時には、水収容スペースの容積を約２７．８ｃｍ３以上、好ましくは約２８．９ｃｍ３以上とし、充填スペースの容積を約１２．６ｃｍ３、好ましくは約１１．５ｃｍ３とする。これは潮解性物質（塩化カルシウム）の充填量にして約１３．０ｇ、好ましくは約１１．７ｃｍ３に相当する。
【００１７】
このような本発明の実施形態に係る除湿パックＡによると、使用状態で設置場所の載置面Ｐに対し、立体形状に形成された袋体１の複数の平面部１０のうちいずれか一つの底面１０ａが置かれて、載置面Ｐに底面１０ａを接触させる。これにより、その他の平面部１０となる吸湿面１０ｂが、設置場所の空間Ｓに向いて吸湿し、設置場所の除湿が行われる。
さらに袋体１が転がったとしても、複数の平面部１０のいずれか一つが底面１０ａとなるだけで、その他の吸湿面１０ｂが載置面Ｐと接触せず吸湿面積が減少しない。
したがって、簡単な構造で吸湿面積を増大させることができる。
その結果、従来のシートタイプの除湿剤に比べ、吸湿速度が速くなって多湿環境を短時間で除湿でき、除湿機能の向上が図れる。また袋体１の転がりで除湿機能が低下しないため、姿勢を考慮する必要が無くなって使用勝手が良い。
さらに、従来のシートタイプ除湿剤に比べ、全体サイズがコンパクト化され、専有スペースが小さくなるため、比較的に狭い設置場所など、どこにでも置くことができる。一つのシートタイプ除湿剤が置かれた設置場所に、多数の除湿パックＡを置いて更なる除湿機能の向上も図れる。
【００１８】
特に、袋体１は、複数の平面部１０として四つ以上の多角形で囲まれた多面体に形成されることが好ましい。
この場合には、多面体の袋体１において四つ以上の多角形うち一つの平面部１０が底面１０ａとなり、その他の三つ以上の平面部１０が吸湿面１０ｂとなる。
したがって、載置面Ｐに対して立体的に配置される吸湿面１０ｂの面数を三つ以上に増やすことができる。
その結果、従来のシートタイプの除湿剤に比べ、吸湿面１０ｂの増加の伴って吸湿面積が増大するため、吸湿速度をより速くできて、更なる除湿機能の向上が図れる。
【００１９】
さらに、袋体１を図１（ａ）（ｂ）に示される四面体（図示例では正四面体）か、又は図２に示される六面体（図示例では正六面体）に形成することが好ましい。
袋体１が四面体の場合には、四つの平面部１０のうち一つが底面１０ａとなり、その他の三つの平面部１０が吸湿面１０ｂとなる。
袋体１が六面体の場合には、六つの平面部１０のうち一つが底面１０ａとなり、その他の五つの平面部１０が吸湿面１０ｂとなる。
したがって、従来周知の製造装置を用いて袋体１を簡単に製作することができる。
その結果、袋体１を簡単に大量生産できて、コストの低減化が図れる。
【００２０】
また、複数の平面部１０の少なくとも一辺に、載置面Ｐと対向する延長部１１ａを連続形成することが好ましい。
この場合には、使用状態で設置場所の載置面Ｐに対し、立体形状に形成された袋体１の複数の平面部１０のうちいずれか一つの底面１０ａを置くことにより、底面１０ａと連続する延長部１１ａも載置面Ｐと接触する。
このため、載置面Ｐに対する袋体１の設置面積が延長部１１ａの分だけ増加すると同時に、載置面Ｐとの摩擦抵抗も増える。
したがって、載置した袋体１の転がりや位置ズレを抑制することができる。
その結果、載置された袋体１の姿勢がより安定し、更なる除湿機能の向上が図れる。
【００２１】
またさらに、吸湿剤２が吸湿に伴ってゲル化する材料からなることが好ましい。
この場合には、袋体１内の吸湿剤２が吸湿することにより、吸湿剤２の形態がゲル状に変化して吸湿剤２から離水しない。
したがって、吸湿剤２の吸湿に伴う液体の漏れ出しを防止することができる。
その結果、漏れ出た液体で汚すことが無いから色々な設置場所に安心して使用できる。  これに加えて、吸湿剤２が吸湿を完了した使用後は、袋体１から吸湿剤２を取り出すことなく、そのまま捨てることができて使用勝手の更なる向上が図れる。
また、吸湿剤２の形体がゲル化していないか否かを確認することで、吸湿剤２の寿命が推測可能となり、誰でも吸湿剤２の交換時期が容易に分かって使用勝手に優れる。
【００２２】
さらにまた、袋体１の内部は、吸湿剤２の充填スペースと、吸湿剤２により吸湿した水分が収容される水収容スペースと、を有し、水収容スペースの容積を吸湿剤２の充填スペースの容積の所定倍数となるように設定することが好ましい。
除湿パックＡの設置場所が洗面台回り，流しの下などの特に多湿な場所や、香港などのような高温多湿な地域で使用される場合であっても、水収容スペースの容積を吸湿剤（塩化カルシウム）２の充填スペースの容積の約２．２倍以上（好ましくは約２．５倍以上）に設定することにより、吸湿剤２によって吸湿した水分が水収容スペースを短期間で満杯にすることがない。
したがって、特に多湿な場所や高温多湿な地域で使用されても吸湿を所定期間に亘って継続することができる。
その結果、使用する温度や湿度に合わせることができて使用勝手に優れる。
【００２３】
なお、前示の実施形態において図示例では、袋体１の立体形状として四面体と六面体の場合のみを示したが、これに限定されず、袋体１の立体形状は、円柱体、角柱体、角錐、角錐台や八面体、十二面体、二十面体などの準正多面体又は半正多面体を含む多面体であってもよい。
【符号の説明】
【００２４】
Ａ  除湿パック                          １  袋体
１０  平面部                            １０ａ  底面
１０ｂ  吸湿面                          １１ａ  延長部
２  吸湿剤                              Ｐ  載置面
Ｓ  空間
【手続補正書】
【提出日】令和1年7月26日(2019.7.26)
【手続補正１】
【補正対象書類名】特許請求の範囲
【補正対象項目名】請求項１
【補正方法】変更
【補正の内容】
【請求項１】
押し入れ，タンス，クローゼット，下駄箱、洗面台回り，流しの下，衣料収納容器を含む多湿な設置場所の載置面に置かれて、前記設置箇所の空間から湿気を取る除湿パックであって、
透湿防水性シートで四面体に形成される袋体と、
前記袋体の内部に封入される吸湿剤と、を備え、
前記袋体は、四つの平面部と、前記四つの平面部の少なくとも一辺に連続形成される延長部と、を有する立体形状に形成され、前記四つの平面部のいずれか一つが前記設置箇所の前記載置面と接する底面となり、前記底面が前記載置面に置かれて前記延長部が前記載置面と接触した状態で、前記底面を除くその他の三つの平面部が前記設置箇所の前記空間と対向して前記空間から吸湿する吸湿面となることを特徴とする除湿パック。
【手続補正２】
【補正対象書類名】明細書
【補正対象項目名】０００５
【補正方法】変更
【補正の内容】
【０００５】
このような課題を解決するために本発明に係る除湿パックは、押し入れ，タンス，クローゼット，下駄箱、洗面台回り，流しの下，衣料収納容器を含む多湿な設置場所の載置面に置かれて、前記設置箇所の空間から湿気を取る除湿パックであって、透湿防水性シートで四面体に形成される袋体と、前記袋体の内部に封入される吸湿剤と、を備え、前記袋体は、四つの平面部と、前記四つの平面部の少なくとも一辺に連続形成される延長部と、を有する立体形状に形成され、前記四つの平面部のいずれか一つが前記設置箇所の前記載置面と接する底面となり、前記底面が前記載置面に置かれて前記延長部が前記載置面と接触した状態で、前記底面を除くその他の三つの平面部が前記設置箇所の前記空間と対向して前記空間から吸湿する吸湿面となることを特徴とする。
【国際調査報告】
2019043978.tif 000005
2019043978.tif 000006
2019043978.tif 000007
2019043978.tif 000008